(57)【要約】【課題】原水と改質水を吐水する水栓装置について、使用者が原水と改質水との吐止水操作を確実に区別することができる水栓装置を提供することを目的とする。【解決手段】水側電磁弁２１及び湯側電磁弁４１の開閉状態の切り替えを操作するための原水操作スイッチ１２１と、バルブユニット１４０の動作を操作するための操作レバー１２３と、浄水側電磁弁３３の開閉状態の切り替えを操作するための浄水操作スイッチ１３１と、が異なる位置に設けられている。また、止水状態である吐水口１１０からの原水の吐水は、原水操作スイッチ１２１及び操作レバー１２３による操作に基づいて行われ、止水状態である吐水口１１０からの浄水の吐水は、浄水操作スイッチ１３１による操作に基づいて行われる。これにより、使用者は原水の吐水と浄水の吐水との区別を、操作方法の違いによって認識することができ、原水の吐水と改質水の吐水とを確実に区別することができる。【選択図】図１
2017141608.tif 000002
【特許請求の範囲】
【請求項１】
給水源から供給される原水及び該原水から生成される改質水を吐止水する水栓装置において、
前記原水及び前記改質水が吐水される吐水口を有する水栓本体と、
前記吐水口に前記原水を供給する原水流路と、
前記改質水を生成する改質水生成部が介設され、前記吐水口に前記改質水を供給する改質水流路と、
前記原水流路を開閉する原水開閉弁と、
前記改質水流路を開閉する改質水電磁弁と、
前記原水の吐止水を操作するための原水操作部と、
前記改質水の吐止水を操作するための改質水操作部と、
を備え、
前記改質水操作部と前記原水操作部とは異なる位置に設けられ、止水状態から前記原水の吐水を開始させるときの前記原水操作部への操作方法と、止水状態から前記改質水の吐水を開始させるときの前記改質水操作部への操作方法とが異なることを特徴とする水栓装置。
【請求項２】
前記改質水操作部は、前記改質水電磁弁の開閉状態の切り替えを操作するための接触式のスイッチであることを特徴とする請求項１に記載の水栓装置。
【請求項３】
前記原水流路を開閉する原水電磁弁をさらに備え、
前記原水操作部は、前記原水開閉弁の開閉状態を操作するための操作レバーと、前記原水電磁弁の開閉状態の切り替えを操作するための原水操作スイッチと、を有し、
前記操作レバー及び前記原水操作スイッチによる操作に基づいて止水状態である前記吐水口からの前記原水の吐水が行われ、前記改質水操作部による操作に基づいて止水状態である前記吐水口からの前記改質水の吐水が行われることを特徴とする請求項２に記載の水栓装置。
【請求項４】
前記改質水が吐水されていることを報知する第一報知部を備えていることを特徴とする請求項１乃至３のいずれか１項に記載の水栓装置。
【請求項５】
前記改質水生成部の寿命に応じて報知を行う第二報知部を備えていることを特徴とする請求項１乃至４のいずれか１項に記載の水栓装置。
【請求項６】
前記吐水口と、前記原水流路における前記原水開閉弁よりも下流側と前記改質水流路における前記改質水電磁弁よりも下流側とが合流する合流部と、が共通流路によって連通しており、
前記改質水操作部が操作されて前記改質水電磁弁が閉止状態から開放状態へ切り替わった後に、所定時間報知する第三報知部を備えていることを特徴とする請求項１乃至５のいずれか１項に記載の水栓装置。
【請求項７】
前記原水操作部及び前記改質水操作部は、前記水栓本体に配置されていることを特徴とする請求項１乃至６のいずれか１項に記載の水栓装置。
【請求項８】
前記原水操作部および前記改質水操作部のいずれか一方は、正面視において前記吐水口を中心として左右に分けた場合の左方に配置され、
前記原水操作部および前記改質水操作部のいずれか他方は、正面視において前記吐水口を中心として左右に分けた場合の右方に配置されることを特徴とする請求項１乃至７のいずれか１項に記載の水栓装置。
【請求項９】
前記原水が吐水されている状態において前記改質水操作部が操作されると、前記原水電磁弁を閉止すると共に前記改質水電磁弁を開放することで前記吐水口から前記改質水の吐水を行うことを特徴とする請求項３乃至８のいずれか１項に記載の水栓装置。
【請求項１０】
前記改質水が吐水されている状態において前記原水操作スイッチが操作されると、前記改質水電磁弁を閉止することを特徴とする請求項９に記載の水栓装置。
【請求項１１】
前記改質水電磁弁を開放してから前記改質水電磁弁の開放状態が所定時間継続した後に、前記改質水電磁弁を閉止することを特徴とする請求項１乃至１０のいずれか１項に記載の水栓装置。
【請求項１２】
前記改質水生成部は浄水カードリッジを有し、
前記改質水は浄水であることを特徴とする請求項１乃至１１のいずれか１項に記載の水栓装置。
【発明の詳細な説明】
【技術分野】
【０００１】
本発明は、水栓装置に関し、特に原水と改質水とを吐水することができる水栓装置に関する。
【０００２】
従来において、給水源から供給される原水と、原水から生成された浄水などの改質水とを吐水部から吐水する水栓装置がある。こういった水栓装置は、水栓装置に設けられた操作部を操作することで、改質水の吐水と原水の吐水とのいずれかの吐水モードに切り替えて吐止水を行うことができる（例えば、特許文献１）。
【０００３】
また、原水吐水と浄水吐水とを行うことのできる水栓装置において、吐水管の上面に非接触式の原水用センサと浄水用センサとをそれぞれ別に設け、どちらか一方のセンサに手をかざすことで原水吐水と浄水吐水との切り替えを行うものが知られている（特許文献２）。
【先行技術文献】
【特許文献】
【０００４】
【特許文献１】特開２０１４−１３４０１３号公報
【特許文献２】特開２００６−１６９９４９号公報
【発明の概要】
【発明が解決しようとする課題】
【０００５】
しかし、特許文献１のような水栓装置では、原水を吐止水するための操作と、浄水を吐止水するための操作を、単一の操作ハンドルで操作する。そのため、吐水部からの吐止水の操作が同一であり、誤って意図していない方の水を吐水してしまうことがあった。
【０００６】
また、特許文献２のような水栓装置では、原水を吐止水するための原水用センサと浄水を吐止水するための浄水用センサとがどちらも非接触式のセンサである。そのため、手をかざして操作を行うという操作方法については同一であり、使用者が原水の吐水と浄水の吐水との区別を操作方法の違いによって認識することができなかった。
【０００７】
さらに、原水と改質水とが視覚的に区別しにくいものである場合、誤って意図していない方の水を吐水してしまった後に、使用者が操作を誤ったことに気付かずにそのまま使用し続けてしまう恐れがあった。
【０００８】
本発明は、前記した課題を解決するためになされたものであり、原水と改質水を吐水する水栓装置について、使用者が原水の吐水と改質水の吐水とを確実に区別することができる水栓装置を提供することを目的とする。
【課題を解決するための手段】
【０００９】
本発明の一態様に係る水栓装置において、給水源から供給される原水及び原水から生成される改質水を吐止水する水栓装置において、原水及び改質水が吐水される吐水口を有する水栓本体と、吐水口に原水を供給する原水流路と、改質水を生成する改質水生成部が介設され、吐水口に改質水を供給する改質水流路と、原水流路を開閉する原水開閉弁と、改質水流路を開閉する改質水電磁弁と、原水の吐止水を操作するための原水操作部と、改質水の吐止水を操作するための改質水操作部と、を備え、改質水操作部と原水操作部とは異なる位置に設けられ、止水状態から原水の吐水を開始させるときの原水操作部への操作方法と、止水状態から改質水の吐水を開始させるときの改質水操作部への操作方法とが異なることを特徴とする水栓装置。（なお、本発明において改質水とは、原水を何らかの方法によって改質させたものをいう。）
【００１０】
このように構成された水栓装置によれば、改質水操作部と原水操作部とは異なる位置に設けられ、止水状態から原水の吐水を開始させるときの原水操作部への操作方法と、止水状態から改質水の吐水を開始させるときの改質水操作部への操作方法とが異なる。これにより、使用者は原水の吐水と浄水の吐水との区別を、操作方法の違いによって認識することができ、使用者が原水の吐水と改質水の吐水とを確実に区別することができる。
【００１１】
また、本発明の一態様に係る水栓装置において、改質水操作部は、改質水電磁弁の開閉状態の切り替えを操作するための接触式のスイッチであってもよい。
【００１２】
このように構成された水栓装置によれば、非接触式のスイッチに比べて誤操作を抑制することができる。
【００１３】
また、本発明の一態様に係る水栓装置において、原水流路を開閉する原水電磁弁をさらに備え、原水操作部は、原水開閉弁の開閉状態を操作するための操作レバーと、原水電磁弁の開閉状態の切り替えを操作するための原水操作スイッチと、を有し、操作レバー及び原水操作スイッチによる操作に基づいて止水状態である吐水口からの原水の吐水が行われ、改質水操作部による操作に基づいて止水状態である吐水口からの改質水の吐水が行われてもよい。
【００１４】
このように構成された水栓装置によれば、原水操作スイッチ及び操作レバーによる操作に基づいて止水状態である吐水口からの原水の吐水が行われ、接触式のスイッチである改質水操作部による操作に基づいて止水状態である吐水口からの改質水の吐水が行われる。これにより、使用者は原水の吐水と改質水の吐水との区別を、操作方法の違いによって認識することができ、使用者が原水の吐水と改質水の吐水とを確実に区別することができる。
【００１５】
また、本発明の一態様に係る水栓装置において、改質水が吐水されていることを報知する第一報知部を備えてもよい。
【００１６】
このように構成された水栓装置によれば、吐水口から改質水が吐水されているときには第一報知部から報知が行われるため、吐水口から吐水されているのが、原水と改質水のどちらであるのかを使用者が視認することができる。
【００１７】
また、本発明の一態様に係る水栓装置において、改質水生成部の寿命に応じて報知を行う第二報知部を備えてもよい。
【００１８】
このように構成された水栓装置によれば、改質水生成部の寿命に応じて第二報知部から報知が行われるため、改質水生成部の寿命を使用者が認知することができる。
【００１９】
また、本発明の一態様に係る水栓装置において、吐水口と、原水流路における原水開閉弁よりも下流側と改質水流路における改質水電磁弁よりも下流側とが合流する合流部と、が共通流路によって連通しており、改質水操作部が操作されて改質水電磁弁が閉止状態から開放状態へ切り替わった後に、所定時間報知する第三報知部を備えてもよい。
【００２０】
このように構成された水栓装置によれば、止水状態から改質水の吐水を開始する前に、改質水生成部よりも下流側に滞留した水を吐水口から排出している所定時間の間、第三報知部が報知する。これにより、使用者が、改質水が利用したいにも関わらず、改質水と改質水生成部よりも下流側の改質水流路及び共通流路に滞留した原水とが混ざった水を誤って利用してしまうことを抑制することができる。
【００２１】
また、本発明の一態様に係る水栓装置において、原水操作部及び改質水操作部は、水栓本体に配置されてもよい。
【００２２】
このように構成された水栓装置によれば、操作部を集約することができ、施工性が良好であるとともに操作性が向上する。
【００２３】
また、本発明の一態様に係る水栓装置において、原水操作部および改質水操作部のいずれか一方は、正面視において吐水口を中心として左右に分けた場合の左方に配置され、原水操作部および改質水操作部のいずれか他方は、正面視において吐水口を中心として左右に分けた場合の右方に配置されてもよい。
【００２４】
このように構成された水栓装置によれば、原水操作部と改質水操作部とは距離が離れているため、原水操作部と改質水操作部との誤操作を抑制することができる。
【００２５】
また、本発明の一態様に係る水栓装置において、原水が吐水されている状態において改質水操作部が操作されると、原水電磁弁を閉止すると共に改質水電磁弁を開放することで吐水口から改質水の吐水を行ってもよい。
【００２６】
このように構成された水栓装置によれば、原水開閉弁が開放されて吐水口から原水の吐水が行われている状態において、改質水操作部を一度操作するだけで吐水口からの吐水を原水の吐水から改質水の吐水へ切り替えることができる。原水操作部を操作して原水開閉弁を閉止（原水を止水）してから、改質水操作部を操作して改質水電磁弁を開放（改質水を吐水）という二段階の操作が不要となり、使用者にとって使い勝手が良く操作性が良い。また、原水開閉弁の開放（原水の吐水）中に、改質水操作部が操作された場合に、第一開閉弁が閉止（原水が止水）されるため、原水と改質水が混合されて吐水されてしまう恐れがない。
【００２７】
また、本発明の一態様に係る水栓装置において、改質水が吐水されている状態において原水操作スイッチが操作されると、改質水電磁弁を閉止してもよい。
【００２８】
このように構成された水栓装置によれば、改質水電磁弁が開放されて吐水口から改質水の吐水が行われている状態において、原水操作部又は改質水操作部のいずれか一方を操作することで吐水口からの吐水を止水状態とすることができる。通常、使用者は改質水の吐水よりも原水吐水を行う頻度が高く、従って原水操作部を操作して原水の吐止水を行う頻度が高いことが多い。改質水の吐水が行われている状態においても、頻度の高い原水の止水動作、つまり原水操作部を操作することによって、簡単に止水を行うことができる。原水操作部の操作を行うと、原水、改質水の何れが吐水されていても必ず止水を行うため、咄嗟に止水を行いたい際にも混乱することなく操作することが可能となる。
【００２９】
また、本発明の一態様に係る水栓装置において、改質水電磁弁を開放してから改質水電磁弁の開放状態が所定時間継続した後に、改質水電磁弁を閉止してもよい。
【００３０】
このように構成された水栓装置によれば、改質水電磁弁の開放状態が所定時間継続した後に、すなわち改質水生成部によって改質水が生成されて吐水口から改質水が吐水される状態が所定時間継続した後に、改質水電磁弁を閉止して改質水の吐水を自動的に止水する。通常、原水から生成される改質水を生み出すことによって、何らかのエネルギーが必要となったり、改質水生成部そのものの劣化が促進されたりする。したがって、このように構成された水栓装置においては、止め忘れ等による改質水の長時間の吐水を防ぐことができ、改質水の浪費を抑制することができる。
【００３１】
また、本発明の一態様に係る水栓装置において、改質水生成部は浄水カードリッジを有し、改質水は浄水であってもよい。
【００３２】
このように構成された水栓装置によれば、使用者は原水の吐水と、原水との差異が視覚的に明瞭でない浄水の吐水との区別を、操作方法の違いによって認識することができ、原水と浄水との吐止水操作を確実に区別することができる。
【発明の効果】
【００３３】
本発明によれば、原水と改質水を吐水する水栓装置について、使用者が原水の吐水と改質水の吐水とを確実に区別することができる。
【図面の簡単な説明】
【００３４】
【図１】本実施形態における水栓装置の構成を示したブロック図である。
【図２】本実施形態における水栓装置の上方斜視図である。
【図３】本実施形態における水栓装置の下方斜視図である。
【図４】本実施形態における水栓装置の操作レバーによる原水の流量調整の方法を説明するための図である。
【図５】本実施形態における水栓装置の操作レバーによる原水の温度調整の方法を説明するための図である。
【図６】本実施形態における水栓装置の動作仕様の一例を示すタイムチャートである。
【図７】本実施形態における水栓装置の動作仕様の一例を示すタイムチャートである。
【図８】本実施形態における水栓装置の動作仕様の一例を示すタイムチャートである。
【図９】他の実施形態における水栓装置の構成を示したブロック図である。
【発明を実施するための形態】
【００３５】
＜水栓装置の構成＞
まず、図１〜３を参照して、本実施形態における水栓装置について説明する。図１は、本実施形態における水栓装置の構成を示したブロック図である。図２は、本実施形態における水栓装置の上方斜視図である。図３は、本実施形態における水栓装置の下方斜視図である。
【００３６】
図１〜３に示すように、水栓装置１は、給水源３から供給される原水及び原水から生成される浄水（改質水）を水栓本体１００に設けられた吐水口１１０から吐止水する水栓装置である。
【００３７】
図１を参照して、水栓装置１の流路構造について説明する。水栓装置１は、給水源３から供給される原水を吐水口１１０に供給する原水流路１０と、浄水を吐水口１１０に供給する改質水流路としての浄水流路３０と、を有する。原水流路１０には、原水流路１０を開閉する原水開閉弁として、バルブユニット１４０が介設されている。
【００３８】
原水を供給する給水源３は、原水として冷水を供給する水供給源５と、原水としてお湯を供給する湯供給源７と、を有する。そして、原水流路１０は、水供給源５とバルブユニット１４０とを接続する水通水路２０と、湯供給源７とバルブユニット１４０とを接続する湯通水路４０と、バルブユニット１４０において流量及び温度を調整した原水をバルブユニット１４０の下流側へ供給する混合通水路５０と、によって構成される。また、原水流路１０を開閉する原水電磁弁として、水通水路２０を開閉する水側電磁弁２１と、湯通水路４０を開閉する湯側電磁弁４１と、が設けられている。
【００３９】
バルブユニット１４０は、後述する操作レバー１２３による操作に基づいて、湯・水夫々の流量を調整することで混合通水路５０へ供給する原水の流量（湯と水の合計流量）及び温度（湯と水の混合比率）を調整する。
【００４０】
浄水流路３０は、流入した原水から浄水を生成する改質水生成部としての浄水生成部３５が介設され、浄水生成部３５で生成された浄水を吐水口１１０に供給する。浄水流路３０における浄水生成部３５の上流側には、浄水流路３０を開閉する浄水側電磁弁３３が設けられている。浄水流路３０は、水通水路２０における水側電磁弁２１の上流側に位置する分岐部３１と、混合通水路５０における下流端部に位置する合流部３９と、を連通している。
【００４１】
浄水生成部３５は、活性炭素繊維や逆浸透膜等からなるフィルターを備えた浄水カードリッジを内蔵しており、浄水流路３０へ流入した原水が、浄水生成部３５の浄水カードリッジを通過することで浄化され、浄水として浄水流路３０から共通流路６０を通して吐水口１１０へ流出する。
【００４２】
原水流路１０及び浄水流路３０は、合流部３９から吐水口１１０まで連通した共通流路６０を共有する。共通流路６０は、原水流路１０の混合通水路５０から供給された原水、又は浄水流路３０から供給された浄水を、吐水口１１０へ供給する。また、浄水流路３０における浄水生成部３５の下流側には、浄水流路３０に原水が流入しないように逆止弁３７が設けられている。
【００４３】
水栓装置１は、水側電磁弁２１、湯側電磁弁４１、及び浄水側電磁弁３３の開閉動作を制御する制御部２００を有する。制御部２００は、原水操作スイッチ１２１が操作されることで送られてくる信号に基づいて水側電磁弁２１及び湯側電磁弁４１の開閉状態を切り替え、浄水操作スイッチ１３１が操作されることで送られてくる信号に基づいて浄水側電磁弁３３の開閉状態を切り替える。なお、制御部２００は、原水と浄水の同時吐水が行われないよう、原水操作スイッチ１２１と浄水操作スイッチ１３１とのどちらかが操作されると、水側電磁弁２１、湯側電磁弁４１、及び浄水側電磁弁３３のすべての電磁弁に対して制御信号を送る。
【００４４】
図２，３に示すように、水栓本体１００は略Ｌ字形状であり、鉛直方向に延びる鉛直部１０１と、鉛直部１０１の腹部において直交して左右に突出する円柱状の中央部１０３と、鉛直部１０１の上端から屈曲して前方に向けて延びる水平部１０５と、を有する。
【００４５】
水平部１０５の下面前方寄りには、吐水口１１０が設けられている。吐水口１１０は、水を拡散させずに収束状に吐出するストレート吐水口部１１１と、水を拡散させて散水状に吐出するシャワー吐水口部１１３と、を有する。
【００４６】
水平部１０５の先端には、原水操作スイッチ１２１が設けられている。原水操作スイッチ１２１は、表面に接触することで水側電磁弁２１及び湯側電磁弁４１の開閉状態の切り替えを操作することができる接触式のセンサである。また、原水操作スイッチ１２１は周方向に回動自在であり、回動操作をすることで原水又は浄水がストレート吐水口部１１１から吐水されるか、シャワー吐水口部１１３から吐水されるかを選択することができる。
【００４７】
中央部１０３には、吐水口１１０から吐水される原水の流量及び温度を調整するバルブユニット１４０が内蔵されている。また、中央部１０３の右側端部には、操作レバー１２３が設けられている。操作レバー１２３は、前後左右にハンドルを倒したり起こしたりして操作することでバルブユニット１４０の動作を操作することができるレバーハンドルである。
【００４８】
中央部１０３の前面左寄りには、浄水操作スイッチ１３１が設けられている。浄水操作スイッチ１３１は、押圧することで浄水側電磁弁３３の開閉状態の切り替えを操作することができる押圧式のスイッチである。
【００４９】
また、水栓本体１００には、吐水口１１０から浄水が吐水されているときに報知を行う第一報知部としてのＬＥＤ１５０が設けられている。ＬＥＤ１５０は、浄水操作スイッチ１３１の周囲を囲むように設けられ、吐水口１１０から浄水が吐水されているときに点灯して報知を行う。また、ＬＥＤ１５０は、浄水生成部３５の寿命に応じて報知を行う第二報知部としての機能も有する。浄水生成部３５の寿命が近づくと、ＬＥＤ１５０は点滅して報知を行う。なお、本実施形態においては、ＬＥＤ１５０が第一報知部としての機能と、第二報知部としての機能とのどちらも有することとしたが、第一報知部と第二報知部とを別々に設けてもよい。
【００５０】
＜操作レバーの操作方法＞
次に、図４，５を参照して、本実施形態における水栓装置の操作レバーの操作方法について説明する。図４は、本実施形態における水栓装置の操作レバーによる原水の流量調整の方法を説明するための図である。図５は、本実施形態における水栓装置の操作レバーによる原水の温度調整の方法を説明するための図である。
【００５１】
図４に示すように、操作レバー１２３は、右方へ倒すことで、吐水口１１０から吐水される原水の流量を大きくすることができる。具体的にいうと、操作レバー１２３が起立した１２３Ａの位置にある状態（以下、閉状態という）で原水操作スイッチ１２１を操作しても、吐水口１１０から原水の吐水は行われない。つまり、操作レバー１２３を、閉状態である１２３Ａの位置から少しでも右方（矢印Ａ１の方向）へ倒した位置にある状態（以下、開状態という）でなければ、原水操作スイッチ１２１の操作に基づいた原水の吐水は行われない。
【００５２】
操作レバー１２３が、閉状態である１２３Ａの位置よりも右方へ倒した１２３Ｂの位置にある状態で原水操作スイッチ１２１が操作されると、吐水口１１０から原水が吐水される。
【００５３】
また、操作レバー１２３の可動範囲において最も右方へ倒した１２３Ｃの位置にある状態で原水操作スイッチ１２１の操作が行われた場合、吐水口１１０から吐水される原水の流量は最大となる。
【００５４】
なお、操作レバー１２３を開状態にしただけでは、吐水口１１０からの原水の吐水は開始されず、操作レバー１２３を開状態にしたうえで原水操作スイッチ１２１の操作を行わなければ吐水口１１０からの原水の吐水は開始されない。つまり、吐水口１１０からの原水の吐水は、原水操作スイッチ１２１及び操作レバー１２３による操作に基づいて行われる。
【００５５】
また、図５に示すように、操作レバー１２３は、前後方向に倒して操作することで吐水口１１０から吐水される原水の温度を調整することができる。操作レバー１２３を前方（矢印Ｂ１の方向）へ倒すほど吐水口１１０から吐水される原水の温度は低くなり、操作レバー１２３を後方（矢印Ｂ２の方向）へ倒すほど吐水口１１０から吐水される原水の温度は高くなる。
【００５６】
＜水栓装置の動作仕様＞
次に、図６〜８を参照して、本実施形態における水栓装置の動作仕様について説明する。図６〜８は、本実施形態における水栓装置の動作仕様の一例を示すタイムチャートである。なお、｜ｔ３―ｔ４｜＜Ｔ１、｜ｔ６―ｔ７｜＜Ｔ１である。
【００５７】
図６に示すように、操作レバー１２３が閉状態であり、原水操作スイッチ１２１と浄水操作スイッチ１３１との何れも操作されていない初期状態では水側電磁弁２１、湯側電磁弁４１、浄水側電磁弁３３、及びバルブユニット１４０はそれぞれの流路を閉じた閉状態であり、吐水口１１０から原水も浄水も吐水されていない止水状態である。使用者が吐水口１１０から原水を吐水させるために、操作レバー１２３を右方へ倒してバルブユニット１４０を開状態にした後に、時刻ｔ１において、原水操作スイッチ１２１に接触すると、制御部２００は水側電磁弁２１及び湯側電磁弁４１を開状態へと切り替える。これにより、吐水口１１０からは原水が吐水される。
【００５８】
時刻ｔ２において、使用者が吐水口１１０からの吐水を停止させるために再び原水操作スイッチ１２１に接触すると、制御部２００は水側電磁弁２１及び湯側電磁弁４１を閉状態へと切り替える。これにより、吐水口１１０からの原水の吐水が停止し、止水状態となる。その後、使用者は操作レバー１２３を左方へ起こしてバルブユニット１４０を閉状態にする。
【００５９】
時刻ｔ３において、使用者が吐水口１１０から浄水を吐水させるために浄水操作スイッチ１３１を押圧操作すると、制御部２００は浄水側電磁弁３３を開状態へと切り替える。これにより、吐水口１１０からは浄水が吐水される。なお、浄水操作スイッチ１３１が押圧操作されて制御部２００が浄水側電磁弁３３を開状態へと切り替えた直後は、浄水生成部３５よりも下流側の浄水流路３０及び共通流路６０に原水が滞留している恐れがある。そこで、時刻ｔ３において、浄水操作スイッチ１３１が押圧操作されて浄水側電磁弁３３が開状態へと切り替わった後に、ＬＥＤ１５０が所定時間点滅して、浄水が吐水される前の準備モードであることを報知する。そして、浄水流路３０及び共通流路６０に滞留した原水が排出された後は、ＬＥＤ１５０が点灯して吐水口１１０から浄水が吐水されていることを報知する。
【００６０】
時刻ｔ４において、使用者が吐水口１１０からの浄水の吐水を停止させるために再び浄水操作スイッチ１３１を押圧操作すると、制御部２００は浄水側電磁弁３３を閉状態へと切り替える。これにより、吐水口１１０からの浄水の吐水が停止し、止水状態となる。
【００６１】
次に、図７へと進む。図７に示すように吐水口１１０からの吐水が止水状態のとき、操作レバー１２３を右方へ倒してバルブユニット１４０を開状態にした後に、時刻ｔ５において、使用者が吐水口１１０から原水を吐水させるために原水操作スイッチ１２１に接触すると、時刻ｔ１と同様に、制御部２００が水側電磁弁２１及び湯側電磁弁４１を開状態へと切り替えることで、吐水口１１０からは原水が吐水される。
【００６２】
時刻ｔ６において、吐水口１１０から原水が吐水されている状態で、使用者が吐水口１１０から浄水を吐水させるために浄水操作スイッチ１３１を押圧操作すると、制御部２００は、水側電磁弁２１及び湯側電磁弁４１を閉状態へと切り替えると共に、浄水側電磁弁３３を開状態へと切り替える。これにより、吐水口１１０からの原水の吐水が停止し、吐水口１１０からは浄水のみが吐水される。
【００６３】
さらに、時刻ｔ７において、吐水口１１０から浄水が吐水されている状態で、使用者が吐水口１１０からの吐水を停止させるために原水操作スイッチ１２１に接触すると、制御部２００は浄水側電磁弁３３を閉状態へと切り替える。これにより、吐水口１１０からは原水も浄水も吐水されていない止水状態となる。
【００６４】
次に、図８へと進む。図８に示すように吐水口１１０から原水も浄水も吐水されていない止水状態のとき、使用者が吐水口１１０から浄水を吐水させるために浄水操作スイッチ１３１を押圧操作すると、時刻ｔ８において、制御部２００は浄水側電磁弁３３を開状態へと切り替える。これにより、吐水口１１０からは浄水が吐水される。なお、時刻ｔ３と同様に、浄水が吐水される前の準備モードの間はＬＥＤ１５０が所定時間点滅し、浄水流路３０及び共通流路６０に滞留した原水が排出された後は、ＬＥＤ１５０が点灯して吐水口１１０から浄水が吐水されていることを報知する。
【００６５】
浄水側電磁弁３３が開状態になった時刻ｔ８から所定時間Ｔ１が経過した時刻ｔ９になると、制御部２００は、浄水側電磁弁３３を自動的に閉状態へと切り替える。これにより、吐水口１１０からの浄水の吐水が停止し、止水状態となる。
【００６６】
＜作用・効果＞
次に、本実施形態における水栓装置の作用効果を説明する。
【００６７】
本実施形態において、水側電磁弁２１及び湯側電磁弁４１の開閉状態の切り替えを操作するための原水操作スイッチ１２１と、バルブユニット１４０の動作を操作するための操作レバー１２３と、浄水側電磁弁３３の開閉状態の切り替えを操作するための浄水操作スイッチ１３１と、が異なる位置に設けられている。また、止水状態である吐水口１１０からの原水の吐水は、原水操作スイッチ１２１及び操作レバー１２３による操作に基づいて行われ、止水状態である吐水口１１０からの浄水の吐水は、浄水操作スイッチ１３１による操作に基づいて行われる。これにより、使用者は原水の吐水と浄水の吐水との区別を、操作方法の違いによって認識することができ、原水の吐水と改質水の吐水とを確実に区別することができる。
【００６８】
また、本実施形態において、浄水操作スイッチ１３１は押圧することで浄水側電磁弁３３の開閉状態の切り替えを操作することができる押圧式のスイッチである。これにより、非接触式のスイッチに比べて誤操作を抑制することができる。
【００６９】
また、本実施形態において、吐水口１１０から浄水が吐水されているときには、水栓本体１００に設けられたＬＥＤ１５０が点灯することによって報知を行う。これにより、吐水口１１０から吐水されているのが、原水と浄水のどちらであるのかを使用者が視認することができる。
【００７０】
また、本実施形態において、浄水生成部３５の寿命が近づくと、水栓本体１００に設けられたＬＥＤ１５０が点滅することによって報知を行う。これにより、浄水生成部３５の寿命を使用者が認知することができる。
【００７１】
また、本実施形態において、浄水操作スイッチ１３１が押圧操作されて制御部２００が浄水側電磁弁３３を開状態へと切り替えた直後は、浄水生成部３５よりも下流側の浄水流路３０及び共通流路６０に原水が滞留している恐れがある。そこで、使用者が吐水口１１０から浄水を吐水させるために浄水操作スイッチ１３１を押圧操作した時刻ｔ３において、浄水側電磁弁３３が開状態へと切り替わった後に、ＬＥＤ１５０が所定時間点滅して、浄水が吐水される前の準備モードであることを報知する。これにより、使用者が、浄水が利用したいにも関わらず、浄水と浄水生成部３５よりも下流側の浄水流路３０及び共通流路６０に滞留した原水とが混ざった水を誤って利用してしまうことを抑制することができる。
【００７２】
また、本実施形態において、原水操作スイッチ１２１と操作レバー１２３、及び浄水操作スイッチ１３１は、水栓本体１００に配置されている。これにより、操作部を集約することができ、水栓装置１の施工性が良好であるとともに操作性が向上する。
【００７３】
また、本実施形態において、バルブユニット１４０の動作を操作するための操作レバー１２３が水栓本体１００の中央部１０３における右側端部に設けられ、浄水側電磁弁３３の開閉状態の切り替えを操作するための浄水操作スイッチ１３１が水栓本体１００の中央部１０３における前面左寄りに設けられている。つまり、吐水口１１０からの原水の吐止水を操作するための操作レバー１２３が、正面視において吐水口１１０を中心として左右に分けた場合の右方に配置され、吐水口１１０からの浄水の吐止水を操作するための操作レバーが、正面視において吐水口１１０を中心として左右に分けた場合の左方に配置されている。これにより、操作レバー１２３と浄水操作スイッチ１３１とは距離が離れているため、操作レバー１２３と浄水操作スイッチ１３１との誤操作を抑制することができる。
【００７４】
また、本実施形態において、吐水口１１０から原水が吐水されている状態において、浄水操作スイッチ１３１が操作されると、吐水口１１０からの吐水を原水から浄水に切り替える。これにより、ワンタッチで原水吐水から浄水吐水へ切り替えることができるため、使用者にとって使い勝手が良く操作性が良い。
【００７５】
また、本実施形態において、吐水口１１０から原水が吐水されている状態、及び吐水口１１０から浄水が吐水されている状態、のどちらの状態においても、原水操作スイッチ１２１が操作されると、吐水口１１０から原水も浄水も吐水されていない止水状態へと移行する。通常の使用形態においては、改質水である浄水よりも原水の使用頻度が高く、とくに一時止水を行う頻度が高いと考えられる。つまり、原水操作スイッチ１２１は浄水操作スイッチ１３１と比較して、使用頻度が高い、換言するならば使用者にとって馴染み深い操作であるといえる。これにより、使用者は原水と浄水とのどちらが吐水されていても、原水操作スイッチ１２１を押圧操作するという単一の、頻度の高い操作を行うことで止水することが可能となり、止水動作を簡単に行えるようになる。
【００７６】
特に、浄水のように原水との差異が視覚的に明瞭でない改質水を吐水している際には、目視でどちらが吐水されているかを判断することが難しく、使用者はどのように操作すれば止水を行うことができるか混乱してしまうことがある。このような場合であっても、本発明の水栓装置によれば、原水操作スイッチ１２１を操作するという単一の操作を行うことで簡単に止水を行うことができる。
【００７７】
また、本実施形態において、制御部２００は、浄水側電磁弁３３を開放してから浄水側電磁弁３３の開放状態が所定時間Ｔ継続した場合、浄水側電磁弁３３を閉止する。これにより、吐水口１１０からの浄水の長時間の吐水を防ぐことができ、浄水生成部３５の劣化を抑制することができる。
【００７８】
以上、本願の開示する技術の実施形態について説明したが、本願の開示する技術は、上記に限定されるものではない。
【００７９】
例えば、上記実施形態においては、水側電磁弁２１及び湯側電磁弁４１を設けたが、本発明はこれに限らず、図９に示すように、水側電磁弁２１及び湯側電磁弁４１を設けず、バルブユニット１４０の代わりに電動バルブ１４０Ａを設けた水栓装置１Ａとしてもよい。
【００８０】
水栓装置１Ａにおいて、制御部２００は、操作レバー１２３が操作されることで送られてくる信号に基づいて電動バルブ１４０Ａの動作を制御し、湯・水夫々の流量を調整することで混合通水路５０を通して吐水口１１０へ供給する原水の流量（湯と水の合計流量）及び温度（湯と水の混合比率）を調整する。
【００８１】
また、制御部２００は、原水操作スイッチ１２１が操作されることで送られてくる信号に基づいて、原水流路１０を通した吐水口１１０への原水の供給を開始及び停止するように電動バルブ１４０Ａを制御する。
【００８２】
また、上記実施形態においては、操作レバー１２３を開状態にしたうえで原水操作スイッチ１２１の操作を行わなければ吐水口１１０からの原水の吐水は開始されないが、本発明はこれに限らず、水側電磁弁２１、湯側電磁弁４１、及び原水操作スイッチ１２１を設けずに、操作レバー１２３の操作によりバルブユニット１４０を閉状態から開状態へ切り替えることで、止水状態である吐水口１１０からの原水の吐水が開始されることとしてもよい。
【００８３】
また、上記実施形態においては、改質水として浄水を吐水しているが、本発明は、原水を改質させて生成されたものであればこれに限らない。例えば、原水を電気分解することで生成される電解水や、原水に薬物などを添加することによって生成される水溶液、混合液など、様々な改質水に本発明を適用することが可能である。改質水の用途も、飲用のほか、除菌、洗浄など、自由に選択することが可能である。
【００８４】
また、原水操作スイッチ１２１及び浄水操作スイッチ１３１についても、実施形態におけるスイッチ（押圧操作）や、接触式センサ（静電容量方式、マトリクス方式、電磁誘導方式、赤外線方式、抵抗膜形式）以外にも、感圧センサ、非接触式センサ（赤外線、光、マイクロ波）など、様々なインターフェイスを利用することが可能である。また、操作レバー１２３についても、レバー操作のみならず、タッチパネル操作、スライド操作など、あらゆるインターフェイスを利用することが可能である。さらに、これらインターフェイスを設ける場所も実施例で示したように水栓装置と一体的に設けるだけでなく、足元への設置、シンクやボウルの載置面への設置、無線接続による別体設置など自由に設計してよい。
【００８５】
また、本発明において、吐水口１１０からの原水の吐水が所定時間Ｔ２を経過すると、制御部２００は、水側電磁弁２１及び湯側電磁弁４１を自動的に閉状態へ切り替えることで、吐水口１１０からの吐水を停止してもよい。これにより、使用者が原水を吐水させた状態で止水をし忘れたとしても、自動的に止水になることで原水の無駄な吐水を抑制することができる。なお、この場合、所定時間Ｔ２よりも浄水の吐水が自動的に停止する所定時間Ｔ１の方が短いことが好ましい。こうすることで、原水の自動止水よりも浄水の自動止水の方が短い時間で行われるため、浄水生成部３５の劣化を抑制することができる。
【００８６】
前述した各実施の形態が備える各要素は、技術的に可能な限りにおいて組み合わせることができ、これらを組み合わせたものも本発明の特徴を含む限り本発明の範囲に包含される。
【符号の説明】
【００８７】
１        水栓装置
３        給水源
５        水供給源
７        湯供給源
１０      原水流路
２０      水通水路
２１      水側電磁弁（原水電磁弁）
３０      浄水流路（改質水流路）
３１      分岐部
３３      浄水側電磁弁（改質水電磁弁）
３５      浄水生成部（改質水生成部）
３７      逆止弁
３９      合流部
４０      湯通水路
４１      湯側電磁弁（原水電磁弁）
５０      混合通水路
６０      共通流路
１００    水栓本体
１０１    鉛直部
１０３    中央部
１０５    水平部
１１０    吐水口
１１１    ストレート吐水口部
１１３    シャワー吐水口部
１２１    原水操作スイッチ（原水操作部）
１２３    操作レバー（原水操作部）
１３１    浄水操作スイッチ（改質水操作部）
１４０    バルブユニット（原水開閉弁）
１４０Ａ  電動バルブ
１５０    ＬＥＤ（第一報知部、第二報知部、第三報知部）
２００    制御部
【図１】
2017141608.tif 000003
【図２】
2017141608.tif 000004
【図３】
2017141608.tif 000005
【図４】
2017141608.tif 000006
【図５】
2017141608.tif 000007
【図６】
2017141608.tif 000008
【図７】
2017141608.tif 000009
【図８】
2017141608.tif 000010
【図９】
2017141608.tif 000011